(57)【特許請求の範囲】
【請求項１】
機器本体と、
この機器本体に設けられて被写体を画像として取り込むためのイメージセンサーユニットと、
全方位の被写体の像を前記イメージセンサーユニットに向けて集光させるための全方位型の集光部材と、
この集光部材を前記イメージセンサーユニットの画像取込み位置と非画像取込み位置とに移動させる移動部材と
を備え、
前記機器本体の背面には、この機器本体を載置面上に起立させて立て掛けるためのスタンド部材が折り畳み可能に設けられており、このスタンド部材には、前記移動部材が折り畳み可能に取り付けられている
ことを特徴とする電子機器。
【請求項２】
前記機器本体は、画像情報を電気光学的に表示する表示部を備えており、前記イメージセンサーユニットは、前記表示部の外周に位置する前記機器本体の縁部に組み込まれていることを特徴とする請求項１に記載の電子機器。
【請求項３】
前記移動部材は、前記スタンド部材に折り畳み可能に取り付けられ、展開した際に先端部が前記機器本体の前面側に移動して前記イメージセンサーユニットの前方に位置する前記画像取込み位置に対応して配置されるリンク部であり、このリンク部の前記先端部には、前記集光部材が設けられていることを特徴とする請求項１または請求項２に記載の電子機器。
【請求項４】
前記集光部材は、全方位の被写体の像を前記イメージセンサーユニットに向けて反射する全方位型のミラー部であることを特徴とする請求項１〜請求項３のいずれかに記載の電子機器。
【請求項５】
前記集光部材は、全方位の被写体の像を前記イメージセンサーユニットに向けて結像する全方位型のレンズ部であることを特徴とする請求項１〜請求項３のいずれかに記載の電子機器。
【発明の詳細な説明】
【技術分野】
【０００１】
この発明は、写真立てタイプのディスプレイ装置やパーソナルコンピュータなどの電子機器に関し、更に詳しくはカメラ機能を搭載した電子機器に関する。
【背景技術】
【０００２】
従来、ノート型のパーソナルコンピュータなどの電子機器においては、特許文献１に記載されているように、キーボートを有する第１ケースと、表示部を有する第２ケースとを、ヒンジによって折り畳み可能に連結し、表示部を有する第２ケースの縁部に撮像装置であるイメージセンサーユニットを設けた構成のものが知られている。
【先行技術文献】
【特許文献】
【０００３】
【特許文献１】特開２０１０―２８３６８号公報
【０００４】
この種の電子機器は、機器を使用する際に、第１ケースに対して第２ケースを開いて起立させることにより、イメージセンサーユニットによって起立した第２ケースの前方を撮影するように構成されている。また、この電子機器は、機器を使用しないときに、第１ケースに対して第２ケースを閉じて重ね合わせることにより、第２ケースのイメージセンサーユニットを第１ケースの側面に位置する縁部に設けられたミラー部に対面させ、この状態でミラー部に映った第１ケースの前方の被写体をイメージセンサーユニットによって監視カメラとして撮影するように構成されている。
【発明の概要】
【発明が解決しようとする課題】
【０００５】
しかしながら、このような従来の電子機器では、第１ケースと第２ケースとをヒンジ部によって開閉可能に連結した折り畳み式の電子機器のみだけにしか適用することができないばかりか、第１ケースの側面に位置する縁部にミラー部を傾斜させて設ける構成であるから、第１ケースに対して第２ケースを閉じて重ね合わせて第１ケースを卓上などの載置面上に配置した状態で、監視カメラとして被写体を撮影する際に、ミラー部に映る被写体が第１ケースの側面の前方に限られてしまい、監視カメラとしては撮影範囲が狭いという問題がある。
【０００６】
この発明が解決しようとする課題は、折り畳み式の電子機器に限られることがなく、イメージセンサーユニットを監視カメラとして使用して、ほぼ全方位の被写体を撮影することができる電子機器を提供することである。
【課題を解決するための手段】
【０００７】
この発明は、上記課題を解決するために、次のような構成要素を備えている。
請求項１に記載の発明は、機器本体と、この機器本体に設けられて被写体を画像として取り込むためのイメージセンサーユニットと、全方位の被写体の像を前記イメージセンサーユニットに向けて集光させるための全方位型の集光部材と、この集光部材を前記イメージセンサーユニットの画像取込み位置と非画像取込み位置とに移動させる移動部材とを備え、前記機器本体の背面には、この機器本体を載置面上に起立させて立て掛けるためのスタンド部材が折り畳み可能に設けられており、このスタンド部材には、前記移動部材が折り畳み可能に取り付けられていることを特徴とする電子機器である。
【０００８】
請求項２に記載の発明は、前記機器本体が、画像情報を電気光学的に表示する表示部を備えており、前記イメージセンサーユニットは、前記表示部の外周に位置する前記機器本体の縁部に組み込まれていることを特徴とする請求項１に記載の電子機器である。
【００１０】
請求項３に記載の発明は、前記移動部材が、前記スタンド部材に折り畳み可能に取り付けられ、展開した際に先端部が前記機器本体の前面側に移動して前記イメージセンサーユニットの前方に位置する前記画像取込み位置に対応して配置されるリンク部であり、このリンク部の前記先端部には、前記集光部材が設けられていることを特徴とする請求項１または請求項２に記載の電子機器である。
【００１２】
請求項４に記載の発明は、前記集光部材が、全方位の被写体の像を前記イメージセンサーユニットに向けて反射する全方位型のミラー部であることを特徴とする請求項１〜請求項３のいずれかに記載の電子機器である。
【００１３】
請求項５に記載の発明は、前記集光部材が、全方位の被写体の像を前記イメージセンサーユニットに向けて結像する全方位型のレンズ部であることを特徴とする請求項１〜請求項３のいずれかに記載の電子機器である。
【発明の効果】
【００１４】
この発明によれば、移動部材によって全方位型の集光部材をイメージセンサーユニットの非画像取込み位置に移動させた際に、イメージセンサーユニットによって通常の撮影をすることができるほか、移動部材によって全方位型の集光部材をイメージセンサーユニットの画像取込み位置に移動させた際に、集光部材によってほぼ全方位の被写体の撮影をすることができる。このため、折り畳み式の電子機器に限られることがなく、イメージセンサーユニットを監視カメラとして使用して、ほぼ全方位の被写体を良好に撮影することができる。
【図面の簡単な説明】
【００１５】
【図１】この発明を写真立てタイプの電子機器に適用した実施形態１を示した正面側の斜視図である。
【図２】図１に示された電子機器の背面側の斜視図である。
【図３】図２に示しされた電子機器においてスタンド部材を上辺側に向けて回転させた状態を示した背面側の拡大斜視図である。
【図４】図３に示された電子機器のスタンド部材を折り畳んで機器ケースの背面に接触させた状態において一部を破断して示した拡大側面図である。
【図５】図４に示された電子機器のスタンド部材に設けられたリンク部を展開させて、リング部の搭載部を機器ケースの前面における画像取り込み位置に対応させて配置させた状態において、一部を破断して示した拡大側面図である。
【図６】図５に示された電子機器を卓上などの載置面上に仰向けに寝かせて配置した状態を示した正面側の斜視図である。
【図７】この発明を写真立てタイプの電子機器に適用した実施形態２において、スタンド部材を折り畳んで機器ケースの背面に接触させた状態で、一部を破断して示した拡大側面図である。
【図８】図７に示された電子機器のスタンド部材に設けられたリンク部を展開させて、リング部の搭載部を機器ケースの前面における画像取り込み位置に対応させて配置させた状態において、一部を破断して示した拡大側面図である。
【図９】この発明を写真立てタイプの電子機器に適用した実施形態３を示した正面側の斜視図である。
【図１０】図９に示しされた電子機器のスライド部材を示した拡大斜視図である。
【図１１】図９に示しされた電子機器のＡ−Ａ矢視における要部を示した拡大断面図である。
【発明を実施するための形態】
【００１６】
（実施形態１）
以下、図１〜図６を参照して、この発明を適用した電子機器の実施形態１について説明する。
この電子機器は、図１に示すように、写真立てタイプのディスプレイ装置であり、額縁形状の機器ケース１を備えている。この機器ケース１の内部には、入力表示部２が前面側に露呈した状態で組み込まれており、この機器ケース１の背面には、図１および図２に示すように、機器ケース１を卓上などの載置面Ｓ上に立て掛けるためのスタンド部材３が設けられている。
【００１７】
入力表示部２は、画像などの情報を表示すると共に、この表示された情報を見ながらタッチ操作するものであり、図示しないが、透明なタッチパネルと表示パネルと重ね合わせた構成になっている。この場合、表示パネルは、画像などの各種の情報を電気光学的に表示するものである。
【００１８】
すなわち、この表示パネルは、液晶表示素子やＥＬ（エレクトロルミネッセンス）表示素子などの平面型の表示素子からなっている。また、透明なタッチパネルは、表示パネルの表面に設けられて表示パネルに表示された情報を見ながらタッチ操作することにより、表示パネルに表示された画像の選択や、その表示された画像の拡大縮小などの画像操作をするように構成されている。
【００１９】
また、この機器ケース１内における上部には、図１および図４に示すように、イメージセンサーユニット４が組み込まれている。このイメージセンサーユニット４は、撮像装置であり、図示しないが、ＣＣＤ（電荷結合素子）やＣＭＯＳなどの撮像素子と、この撮像素子に被写体の像を結像させるためのレンズ部とを備えている。
【００２０】
また、このイメージセンサーユニット４は、図１に示すように、入力表示部２の外周に位置する機器ケース１の上部における縁部に設けられた撮影窓部１ａに対応した状態で、図４および図５に示すように、機器ケース１内に設けられたセンサー基板５ａに設けられている。このセンサー基板５ａは、機器ケース１内に設けられた回路基板５ｂと電気的に接続されている。この回路基板５ｂは、機器の回路全体を駆動制御するための電子回路が設けられている。
【００２１】
一方、スタンド部材３は、図１および図２に示すように、機器ケース１を載置面Ｓ上に起立させて立て掛けるためのものであり、図３および図４に示すように、機器ケース１の背面に折り畳み可能に設けられている。このスタンド部材３は、図２および図３に示すように、背面側に収納凹部３ａが設けられたほぼ帯板状に形成されている。
【００２２】
また、このスタンド部材３は、その一端部（図２では上端部）が機器ケース１の背面におけるほぼ中央部に設けられた支持部６に、支持軸７によって上下方向に回転可能に取り付けられている。このスタンド部材３は、図２に示すように、機器ケース１の下部側に向けて支持軸７を中心に回転して所定角度に開いた際に、図１に示すように、機器ケース１を載置面Ｓ上に起立させて立て掛けるように構成されている。
【００２３】
また、このスタンド部材３は、図３〜図５に示すように、機器ケース１の上部側に向けて支持軸７を中心に回転して機器ケース１の背面に接触した状態で閉じた際に、図６に示すように、入力表示部２を上方に向けて機器ケース１を載置面Ｓ上に仰向けに寝かせた状態で配置させるように構成されている。
【００２４】
この場合、スタンド部材３は、図４に示すように、機器ケース１の背面に接触した状態で閉じた際に、その先端部（図４では上端部）が機器ケース１の上部から上方に突出するように構成されている。また、このスタンド部材３の収納凹部３ａ内には、図３〜図５に示すように、リンク部８が折り畳み可能に収納されるように取り付けられている。
【００２５】
このリンク部８は、後述する集光部材である全方位型のミラー部１３を、図５に示すように、機器ケース１の撮影窓部１ａに対応する位置であるイメージセンサーユニット４の画像取込み位置と、図４に示すように、機器ケース１の撮影窓部１ａから離れた位置であると非画像取込み位置とに移動させるための移動部材である。
【００２６】
すなわち、このリンク部８は、図３〜図５に示すように、スタンド部材３の収納凹部３ａ内におけるスタンド部材３の先端部（図４では上端部）に第１支持軸９によって上下方向に回転可能に取り付けられたアーム部１０と、このアーム部１０の先端部（図４では下端部）に第２支持軸１１によって上下方向に回転可能に取り付けられた搭載部１２とを備えている。
【００２７】
この場合、アーム部１０は、図３および図４に示すように、第１支持軸９を中心に回転してスタンド部材３の収納凹部３ａ内に配置されるように構成されている。また。このアーム部１０は、図５に示すように、スタンド部材３が支持軸７を中心に回転して閉じて機器ケース１の背面に接触した状態で、第１支持軸９を中心に時計回りに回転すると、機器ケース１の上端面に配置されると共に、アーム部１０の先端部（図５では右端部）が機器ケース１の前面側（図５では右側）に突出するように構成されている。
【００２８】
搭載部１２は、アクリル樹脂などの透明な合成樹脂からなり、図３に示すように、全体がほぼ平板状に形成されている。この搭載部１２は、図３および図４に示すように、第２支持軸１１を中心に回転してスタンド部材３の収納凹部３ａ内にアーム部１０と共に配置されるように構成されている。
【００２９】
また、この搭載部１２は、図５に示すように、アーム部１０が機器ケース１の上端面に配置されて先端部（図５では右端部）が機器ケース１の前面側に突出した際に、第２支持軸１１を中心に時計回りに回転すると、機器ケース１の前面と平行に垂れ下がってイメージセンサーユニット４に対向するように構成されている。
【００３０】
この場合、スタンド部材３の収納凹部３ａ内における側面には、図４に示すように、アーム部１０と搭載部１２とがスタンド部材３の収納凹部３ａ内に収納された際に、搭載部１２を係脱可能に係止するストッパー突起３ｂが設けられている。また、搭載部１２は、図５に示すように、機器ケース１の前面と平行に垂れ下がってイメージセンサーユニット４に対向した際に、搭載部１２がアーム部１０の端部１０ａに当接することにより、位置規制されるように構成されている。
【００３１】
これにより、リンク部６は、図３および図４に示すように、アーム部１０と搭載部１２とがスタンド部材３の収納凹部３ａ内に収納され、また図５に示すように、アーム部１０と搭載部１２とが収納凹部３ａ内から引き出されて展開した際に、搭載部１２が機器ケース１の前面側（図５では左面側）に位置規制されてイメージセンサーユニット４の前方に配置されるように構成されている。
【００３２】
このリンク部６の搭載部１２には、図３〜図５には、集光部材である全方位型のミラー部１３が設けられている。この全方位型のミラー部１３は、断面形状が双曲線または放物線などの曲線かなる曲面に形成された凸面鏡であり、イメージセンサーユニット４の画像取込み位置に対応して配置された際に、全方位の被写体の像を映してイメージセンサーユニット４に向けて反射するように構成されている。
【００３３】
なお、この電子機器の回路構成は、図示しないが、回路全般を制御するＣＰＵ（中央演算処理装置）、入力表示部２を駆動する入力表示駆動部、イメージセンサーユニット４を駆動するためのセンサー駆動部、イメージセンサーユニット４で取り込んだイメージ情報を画像処理する画像処理部、ネットワークに接続されて携帯電話機などの外部機器に情報を送信するための通信部、および音声などの音を電気信号に変換して取り込むマイクロホン部などを備えている。
【００３４】
この場合、画像処理部は、全方位型のミラー部１３に映ったほぼ全方位の被写体の像がイメージセンサーユニット４で取り込まれた際に、この取り込まれたイメージ情報である画像がほぼ円形のリング状であるため、イメージセンサーユニット４で取り込んだイメージ情報の画像をほぼ長方形状の画像として作成するためのものである。
【００３５】
次に、この電子機器を使用する場合について説明する。
この電子機器の機器ケース１を卓上などの載置面Ｓ上に起立させて立て掛ける場合には、図２に示すように、スタンド部材３を機器ケース１の下部側に向けて所定角度に開く。すなわち、機器ケース１の背面の支持部６に設けられた支持軸７を中心にスタンド部材３を回転させて所定角度に開く。この状態で、機器ケース１の下端部を載置面Ｓ上に配置すると、図１および図２に示すように、スタンド部材３によって機器ケース１が載置面Ｓ上に起立させて立て掛けられる。
【００３６】
このときには、図３に示すように、スタンド部材３の収納凹部３ａ内にリンク部８を収納する。すなわち、リング部８の第１支持軸９を中心にアーム部１０を回転させてスタンド部材３の収納凹部３ａ内に配置すると共に、リング部８の第２支持軸１１を中心に搭載部１２を回転させてスタンド部材３の収納凹部３ａ内にアーム部１０と共に配置する。
【００３７】
これにより、図３および図４に示すように、リンク部８の搭載部１２がストッパー突起３ｂによって係止され、この状態でリンク部８が収納凹部３ａ内に収納される。このため、リンク部８が邪魔にならずに、スタンド部材３によって機器ケース１を載置面Ｓ上に起立させて良好に立て掛けることができる。
【００３８】
この状態では、図１に示すように、入力表示部２の表示パネルに写真などの画像を表示し、この表示された画像を見ながら透明なタッチパネルをタッチ操作することにより、表示パネルに表示された画像の選択や、その表示された画像の拡大縮小などの画像操作を行い、その表示された画像などの情報を使用者が見ることができる。
【００３９】
また、この状態では、イメージセンサーユニット４によって使用者を撮影すると共に、マイクロホン部によって使用者の音声を取り込み、イメージセンサーユニット４で撮影した画像データおよびマイクロホン部で取り込んだ音声データを通信部によって送信することにより、テレビ電話として使用することができる。
【００４０】
また、この電子機器を使用しないときには、スタンド部材３を折り畳んで、セキュリティモードにセットし、図６に示すように、入力表示部２を上方に向けて卓上などの載置面Ｓ上に仰向けに寝かして配置することができる。このときには、図３および図４に示すように、機器ケース１の背面に設けられた支持部６の支持軸７を中心にスタンド部材３を機器ケース１の上部側に向けて回転させて機器ケース１の背面に接触した状態で閉じる。
【００４１】
この場合には、図４に示すように、スタンド部材３の先端部（図４では上端部）が機器ケース１の上部から突出する。この状態で、図５に示すように、リンク部８をスタンド部材３の収納凹部３ａ内から引き出して展開する。すなわち、スタンド部材３が支持軸７を中心に回転して閉じて機器ケース１の背面に接触した状態で、リンク部８の第１支持軸９を中心にリンク部８のアーム部１０を時計回りに回転させて、機器ケース１の上端面に配置し、このアーム部１０の先端部（図５では右端部）を機器ケース１の前面側に突出させる。
【００４２】
この状態で、図５に示すように、リンク部８の第２支持軸１１を中心にリンク部８の搭載部１２を時計回りに回転させて、機器ケース１の前面と平行に垂らしてイメージセンサーユニット４に対向させる。このときには、搭載部１２がアーム部１０の端部１０ａに当接して位置規制されると共に、この搭載部１２に設けられた全方位型のミラー部１３が機器ケース１の撮影窓部１ａに対向する。
【００４３】
これにより、ミラー部１３がイメージセンサーユニット４の画像取込み位置に配置される。この状態では、図５に示すように、ミラー部１３に全方位の被写体の像が映り、このミラー部１３に映った全方位の被写体の像がイメージセンサーユニット４に向けて反射される。このため、イメージセンサーユニット４がミラー部１３に映った全方位の被写体の像を取込むことができるので、監視カメラとしてほぼ全方位の被写体を撮影することができる。
【００４４】
この後、イメージセンサーユニット４によって撮影した画像を画像処理部でほぼ長方形状の画像に処理し、この処理した画像を通信部によって使用者の携帯電話機に送信することにより、使用者が機器ケース１から離れていても、機器ケース１の周辺の状況を知ることができるので、部屋に侵入者が居るか否かを監視することができる。
【００４５】
このように、この電子機器によれば、機器ケース１と、この機器ケース１に設けられたイメージセンサーユニット４と、全方位の被写体の像をイメージセンサーユニット４に向けて反射する全方位型のミラー部１３と、このミラー部１３をイメージセンサーユニット４の画像取込み位置と非画像取込み位置とに移動させる移動部材であるスタンド部材３のリンク部８とを備えた構成であるから、折り畳み式の電子機器に限らず、平板状の電子機器においても、この電子機器の機器ケース１に設けられたイメージセンサーユニット４を監視カメラとして使用して、ほぼ全方位の被写体を撮影することができる。
【００４６】
すなわち、この電子機器では、スタンド部材３のリンク部８によってミラー部１３をイメージセンサーユニット４の非画像取込み位置に移動させた際に、イメージセンサーユニット４によって通常の撮影をすることができるほか、リンク部８によって全方位型のミラー部１３をイメージセンサーユニット４の画像取込み位置に移動させた際に、ミラー部１３に映ったほぼ全方位の被写体の撮影をすることができる。これにより、イメージセンサーユニット４を監視カメラとして使用して、ほぼ全方位の被写体を撮影することができる。
【００４７】
この場合、機器ケース１は、画像情報を電気光学的に表示する入力表示部２を備えており、イメージセンサーユニット４は、入力表示部２の外周に位置する機器ケース１の縁部に組み込まれていることにより、イメージセンサーユニット４が入力表示部２の邪魔にならず、入力表示部２に画像などの情報を表示させた状態で、入力表示部２の前方の被写体をイメージセンサーユニット４によって撮影することができる。これにより、テレビカメラなどとして良好に使用することができる。
【００４８】
また、機器ケース１の背面には、この機器ケース１を載置面Ｓ上に起立させて立て掛けるためのスタンド部材３が折り畳み可能に設けられているので、折り畳み式の電子機器に限らず、機器ケース１が額縁形状に形成された電子機器においても、スタンド部材３によって機器ケース１を載置面Ｓ上に起立させて立て掛けることができ、これにより入力表示部２に表示された画像などの情報を良好に見ることができる。
【００４９】
この場合、スタンド部材３には、集光部材であるミラー部１３を移動させるための移動部材であるリンク部８が設けられていることにより、このリンク部８によってミラー部１３をイメージセンサーユニット４の画像取込み位置と非画像取込み位置とのいずれかに確実に且つ良好に移動させることができる。
【００５０】
すなわち、この移動部材であるリンク部８は、スタンド部材３に折り畳み可能に取り付けられた構成であるから、スタンド部材３によって機器ケース１を載置面Ｓ上に起立させて立て掛ける際に、リンク部８をコンパクトに収納することができる。また、このリンク部８は、展開した際に先端部である搭載部１２が機器ケース１の前面側に移動してイメージセンサーユニット４の前方の画像取込み位置、つまり機器ケース１の撮影窓部１ａに対応する位置に配置される構成であるから、搭載部１２をイメージセンサーユニット４の画像取込み位置と非画像取込み位置とに容易に且つ良好に移動させることができる。
【００５１】
この場合、リンク部８の先端部である搭載部１２には、集光部材である全方位型のミラー部１３が設けられているので、ミラー部１３を紛失することがなく、リンク部８を展開させて搭載部１２を機器ケース１の前面側に移動させた際に、この搭載部１２に設けられたミラー部１３をイメージセンサーユニット４の画像取込み位置、つまり機器ケース１の撮影窓部１ａに対応する位置に確実に且つ正確に移動させて配置することができる。
【００５２】
また、ミラー部１３は、全方位の被写体の像をイメージセンサーユニット４に向けて反射するものであるから、リンク部８によってイメージセンサーユニット４の画像取込み位置に移動した際に、ミラー部１３が機器ケース１の前面側に配置され、この状態でミラー部１３によって機器ケース１の前面側の周囲におけるほぼ全方位の被写体の像を確実に且つ良好に映してイメージセンサーユニット４に向けて反射させることができ、これによりイメージセンサーユニット４によってほぼ全方位の被写体を撮影することができる。
【００５３】
（実施形態２）
次に、図７および図８を参照して、この発明を適用した電子機器の実施形態２について説明する。なお、図１〜図６に示された実施形態１と同一部分には同一符号を付して説明する。
この電子機器は、図７および図８に示すように、全方位型の集光部材として、全方位型のレンズ部２０を用いた構成であり、これ以外は実施形態１とほぼ同じ構成になっている。
【００５４】
すなわち、この全方位型のレンズ部２０は、図７および図８に示すように、ほぼ半球形状に形成された魚眼レンズなどの平凸レンズ、両凸レンズ、メニスカス凸レンズなどの単レンズ、またはこの単レンズと焦点距離補正や収差補正などの補正をするため補正レンズとを組み合わせた複合レンズである。なお、図７および図８では、魚眼レンズなどの単レンズを用いた場合を示している。
【００５５】
このレンズ部２０は、図７および図８に示すように、スタンド部材３に取り付けられたリンク部８の搭載部１２に設けられ、イメージセンサーユニット４の画像取込み位置、つまり機器ケース１の撮影窓部１ａに対応する位置に配置された際に、機器ケース１の前方に向けて突出して露出し、この状態で機器ケース１の前面側における全方位の被写体の像をイメージセンサーユニット４に向けて結像させるように構成されている。
【００５６】
このような電子機器を使用する場合には、実施形態１と同様、スタンド部材３の収納凹部３ａ内にリンク部８を収納し、この状態でスタンド部材３を機器ケース１の下部側に向けて所定角度に開き、この所定角度に開いたスタンド部材３によって機器ケース１を卓上などの載置面Ｓ上に起立させて立て掛けることができる。
【００５７】
この場合にも、入力表示部２の表示パネルに写真などの画像を表示し、この表示された画像を見ながら透明なタッチパネルをタッチ操作することにより、表示パネルに表示された画像の選択や、その表示された画像の拡大縮小などの画像操作を行い、その表示された画像などの情報を使用者が見ることができる。
【００５８】
また、この状態では、イメージセンサーユニット４によって使用者の画像を撮影すると共に、マイクロホン部によって使用者の音声を取り込み、イメージセンサーユニット４で撮影した画像データおよびマイクロホン部で取り込んだ音声データを通信部によって送信することにより、テレビ電話として使用することができる。
【００５９】
また、この電子機器を使用しないときには、実施形態１と同様、スタンド部材３を折り畳んで、セキュリティモードにセットし、入力表示部２を上方に向けて卓上などの載置面Ｓ上に仰向けに寝かして配置することができる。このときには、図８に示すように、機器ケース１の背面に設けられた支持部６の支持軸７を中心にスタンド部材３を機器ケース１の上部側に向けて回転させて機器ケース１の背面に接触した状態で閉じる。
【００６０】
この状態で、リンク部８をスタンド部材３の収納凹部３ａ内から引き出して展開する。すなわち、スタンド部材３が支持軸７を中心に回転して閉じて機器ケース１の背面に接触した状態で、リンク部８の第１支持軸９を中心にリンク部８のアーム部１０を時計回りに回転させて、機器ケース１の上端面に配置し、このアーム部１０の先端部（図８では右端部）を機器ケース１の前面側に突出させる。
【００６１】
この後、図８に示すように、リンク部８の第２支持軸１１を中心にリンク部８の搭載部１２を時計回りに回転させて、機器ケース１の前面と平行に垂らしてイメージセンサーユニット４に対向させる。このときには、搭載部１２がアーム部１０の端部１０ａに当接して位置規制されると共に、この搭載部１２に設けられた全方位型のレンズ部２０が機器ケース１の撮影窓部１ａに対向する。
【００６２】
これにより、レンズ部２０がイメージセンサーユニット４の画像取込み位置に配置され、このレンズ部２０によって機器ケース１の前面側に位置する全方位の被写体の像をイメージセンサーユニット４に向けて結像するので、イメージセンサーユニット４によって監視カメラとしてほぼ全方位の被写体を撮影することができる。
【００６３】
この場合には、イメージセンサーユニット４によって撮影した画像は、ほぼ円形状であるため、画像処理部でほぼ長方形状の画像に処理され、この処理した画像が通信部によって使用者の携帯電話機に送信される。これにより、使用者が機器ケース１から離れていても、機器ケース１の周辺の状況を知ることができるので、部屋に侵入者が居るか否かを監視することができる。
【００６４】
このように、この電子機器においても、実施形態１とほぼ同様の作用効果がある。すなわち、この電子機器においても、スタンド部材３に設けられた移動部材であるリンク部８によって全方位型のレンズ部２０をイメージセンサーユニット４の画像取込み位置と非画像取込み位置に移動させることができる。このため、スタンド部材３のリンク部８によって全方位型のレンズ部２０をイメージセンサーユニット４の非画像取込み位置に移動させた際に、イメージセンサーユニット４によって通常の撮影をすることができる。
【００６５】
また、この電子機器では、リンク部８によって全方位型のレンズ部２０をイメージセンサーユニット４の画像取込み位置に移動させた際に、このレンズ部２０によって機器ケース１の前面側におけるほぼ全方位の被写体の像をイメージセンサーユニット４に結像させることにより、ほぼ全方位の被写体を撮影することができる。これにより、イメージセンサーユニット４を監視カメラとして使用して、ほぼ全方位の被写体を撮影することができる。
【００６６】
この場合、レンズ部２０は、全方位の被写体の像をイメージセンサーユニット４に向けて結像するものであるから、リンク部８によってイメージセンサーユニット４の画像取込み位置に移動した際に、レンズ部２０が機器ケース１の前面側に突出して露出し、この状態でレンズ部２０によって機器ケース１の前面側に位置するほぼ全方位の被写体の像を確実に且つ良好にイメージセンサーユニット４に取り込むことができ、これにより実施形態１の全方位型のミラー部１３よりも広い範囲の被写体を撮影することができる。
【００６７】
なお、上述した実施形態１、２では、リンク部８をスタンド部材３に折り畳み可能に設けた場合について述べたが、必ずしもリンク部８をスタンド部材３に設ける必要はなく、例えば機器ケース１の背面に直接リンク部８を折り畳み可能に設け、このリンク部８の搭載部１２に全方位型のミラー部１３または全方位型のレンズ部２０を設けた構成でも良い。
【００６８】
（実施形態３）
次に、図９〜図１１を参照して、この発明を適用した電子機器の実施形態３について説明する。この場合にも、図１〜図６に示された実施形態１と同一部分には同一符号を付して説明する。
この電子機器は、集光部材である全方位型のミラー部１３を移動させるための移動部材として、スライド部材２５を用いた構成であり、これ以外は実施形態１とほぼ同じ構成になっている。
【００６９】
このスライド部材２５は、アクリル樹脂などの透明な合成樹脂からなり、図９に示すように、イメージセンサーユニット４が組み込まれた箇所に位置する機器ケース１の上部の縁部にスライド可能に取り付けられている。すなわち、このスライド部材２５は、図１０および図１１に示すように、機器ケース１の縁部を表裏面方向に挟む形状に形成され、機器ケース１の前面側に位置する内面に支持突起部２５ａが設けられ、この支持突起部２５ａが機器ケース１の縁部における前面に設けられたガイド溝２６内を移動するように構成されている。
【００７０】
この場合、機器ケース１のガイド溝２６は、図９に示すように、機器ケース１の前面において、イメージセンサーユニット４が組み込まれた箇所と、この箇所から離れた箇所との間に、機器ケース１の上辺部に沿って設けられている。これにより、スライド部材２５は、支持突起部２５ａが機器ケース１のガイド溝２６に沿って移動することにより、イメージセンサーユニット４が対応する撮影窓部１ａの位置と、この位置から離れて撮影窓部１ａを開放する位置とに移動するように構成されている。
【００７１】
また、このスライド部材２５における機器ケース１の前面側に位置する内面には、図１０および図１１に示すように、全方位型のミラー部１３が設けられている。このミラー部１３も、実施形態１と同様、断面形状が双曲線または放物線などの曲線からなる曲面に形成された凸面鏡であり、イメージセンサーユニット４の画像取込み位置に配置された際に、全方位の被写体の像を映してイメージセンサーユニット４に向けて反射するように構成されている。
【００７２】
この場合、スライド部材２５の支持突起部２５ａは、その突出長さがミラー部１３を機器ケース１の撮影窓部１ａからその垂直方向に所定距離だけ離す程度の長さに形成されている。なお、この機器ケース１の背面には、実施形態１と同様、スタンド部材（図示せず）が取り付けられている。このスタンド部材は、機器ケース１を卓上などの載置面Ｓ上に起立させて立て掛けるためのものであり、このスタンド部材には、実施形態１のリンク部８が設けられていない構成になっている。
【００７３】
このような電子機器を使用する場合には、図９〜図１１に示すように、スタンド部材３によって機器ケース１を卓上などの載置面Ｓ上に起立させて立て掛ける。この状態で、スライド部材２５の支持突起部２５ａを機器ケース１のガイド溝２６に沿ってスライドさせることにより、スライド部材２５を機器ケース１の撮影窓部１ａから離れる方向に移動させて撮影窓部１ａを開放する。
【００７４】
この状態では、実施形態１と同様、イメージセンサーユニット４によって使用者の画像を撮影すると共に、マイクロホン部によって使用者の音声を取り込み、イメージセンサーユニット４で撮影した画像データおよびマイクロホン部で取り込んだ音声データを通信部によって送信することにより、テレビ電話として使用することができる。
【００７５】
また、このときにも、入力表示部２の表示パネルに写真などの画像を表示し、この表示された画像を見ながら透明なタッチパネルをタッチ操作することにより、表示パネルに表示された画像の選択や、その表示された画像の拡大縮小などの画像操作を行い、その表示された画像などの情報を使用者が見ることができる。
【００７６】
また、この電子機器を使用しないときには、スタンド部材３を折り畳んで、セキュリティモードにセットし、入力表示部２を上方に向けて卓上などの載置面Ｓ上に仰向けに寝かして配置する。この状態で、スライド部材２５の支持突起部２５ａを機器ケース１のガイド溝２６に沿ってスライドさせることにより、スライド部材２５を機器ケース１の撮影窓部１ａに対応する位置に移動させる。
【００７７】
すると、このスライド部材２５に設けられた全方位型のミラー部１３が機器ケース１の撮影窓部１ａに対向する。これにより、実施形態１と同様、ミラー部１３がイメージセンサーユニット４の画像取込み位置に配置される。この状態では、実施形態１と同様、ミラー部１３によって全方位の被写体の像を映してイメージセンサーユニット４に向けて反射するので、イメージセンサーユニット４によって監視カメラとしてほぼ全方位の被写体を撮影することができる。
【００７８】
この場合にも、イメージセンサーユニット４によって撮影した画像は、画像処理部で長方形状の画像に処理され、この処理した画像が通信部によって使用者の携帯電話機に送信される。これにより、使用者が機器ケース１から離れていても、機器ケース１の周辺の状況を知ることができるので、部屋に侵入者が居るか否かを監視することができる。
【００７９】
このように、この電子機器によれば、機器ケース１と、この機器ケース１に設けられたイメージセンサーユニット４と、全方位の被写体の像をイメージセンサーユニット４に向けて反射する全方位型のミラー部１３と、このミラー部１３をイメージセンサーユニット４の画像取込み位置と非画像取込み位置とに移動させるスライド部材２５とを備えた構成であるから、折り畳み式の電子機器に限らず、平板状に形成された電子機器においても、イメージセンサーユニット４を監視カメラとして使用して、ほぼ全方位の被写体を撮影することができる。
【００８０】
すなわち、この電子機器では、スライド部材２５によってミラー部１３をイメージセンサーユニット４の非画像取込み位置に移動させた際に、イメージセンサーユニット４によって通常の撮影をすることができるほか、スライド部材２５によって全方位型のミラー部１３をイメージセンサーユニット４の画像取込み位置に移動させた際に、ミラー部１３によってほぼ全方位の被写体の撮影をすることができる。これにより、イメージセンサーユニット４を監視カメラとして使用して、ほぼ全方位の被写体を撮影することができる。
【００８１】
この場合、スライド部材２５は、イメージセンサーユニット４が位置する箇所の機器ケース１の縁部を挟み付けた状態で、支持突起部２５ａが機器ケース１のガイド溝２６に沿ってイメージセンサーユニット４の画像取込み位置と非画像取込み位置とに移動する構成であるから、スライド部材２５の構造が簡単で、スライド部材２５をスライドさせるだけの簡単な操作で、ミラー部１３をイメージセンサーユニット４の画像取込み位置と非画像取込み位置とに容易に且つ正確に移動させることができる。
【００８２】
このため、折り畳み式の電子機器に限らず、機器ケース１が額縁形状に形成された写真立てタイプの電子機器にも、簡単に且つ良好に適用することができると共に、スライド部材２５にミラー部１３が設けられていることにより、ミラー部１３を紛失することがなく、いつでも良好にミラー部１３をイメージセンサーユニット４の画像取込み位置に配置することができ、これにより全方位の被写体を撮影することができる。
【００８３】
なお、上述した実施形態３では、全方位型の集光部材として、全方位型のミラー部１３を用いた場合について述べたが、これに限らず、例えば実施形態２に用いた全方位型のレンズ部２０を用いても良い。このレンズ部２０も、ほぼ半球形状に形成された魚眼レンズなどの平凸レンズ、両凸レンズ、メニスカス凸レンズなどの単レンズ、またはこの単レンズと焦点距離補正や収差補正などの補正をするため補正レンズとを組み合わせた複合レンズである。
【００８４】
この場合にも、レンズ部２０は、イメージセンサーユニット４の画像取込み位置、つまり機器ケース１の撮影窓部１ａに対応する位置に配置された際に、機器ケース１の前面側における全方位の被写体の像をイメージセンサーユニット４に向けて結像させるように構成されていれば良い。このように構成すれば、実施形態３と同様の作用効果があるほか、全方位型のレンズ部２０によって実施形態３よりも広い範囲の被写体を撮影することができるほか、機器ケース１をスタンド部材によって卓上などの載置面Ｓ上に立て掛けた状態でも、イメージセンサーユニット４によって監視カメラとして使用することができる。
【００８５】
また、上述した実施形態１〜３およびその変形例では、全方位型のミラー部１３および全方位型のレンズ部２０をリンク部８の搭載部１２またはスライド部材２５に固定させて設けた場合について述べたが、これに限らず、全方位型のミラー部１３および全方位型のレンズ部２０をリンク部８の搭載部１２またはスライド部材２５に着脱可能に取り付け、用途に応じて交換できるように構成しても良い。
【００８６】
また、上述した実施形態１〜３およびその変形例では、表示部として入力表示部２を用いた場合について述べたが、必ずしも入力表示部２である必要はなく、例えば透明なタッチパネルを有していない表示パネルからなる表示部であっても良い。
【００８７】
さらに、上述した実施形態１〜３およびその変形例では、写真立てタイプのディスプレイ装置である電子機器に適用した場合について述べたが、必ずしも写真立てタイプの電子機器である必要はなく、例えばパーソナルコンピュータや携帯情報端末機（ＰＤＡ）、携帯電話機などの折り畳み式の各種の電子機器にも広く適用することができる。
【符号の説明】
【００８８】
１  機器ケース
１ａ  撮影窓部
２  入力表示部
３  スタンド部材
４  イメージセンサーユニット
８  リンク部
９、１１  第１、第２の各支持軸
１０  アーム部
１２  搭載部
１３  全方位型のミラー部
２０  全方位型のレンズ部
２５  スライド部材
２５ａ  支持突起部
２６  ガイド溝
【図１】
0005637434.tif 000002
【図２】
0005637434.tif 000003
【図３】
0005637434.tif 000004
【図４】
0005637434.tif 000005
【図５】
0005637434.tif 000006
【図６】
0005637434.tif 000007
【図７】
0005637434.tif 000008
【図８】
0005637434.tif 000009
【図９】
0005637434.tif 000010
【図１０】
0005637434.tif 000011
【図１１】
0005637434.tif 000012